(57)【要約】      （修正有）【課題】ポンプ装置の駆動時にフロートスイッチが規定水位の誤検知をした場合であっても、制御部がポンプ装置の駆動を停止させることなく継続させ、ポンプ装置の駆動が停止されることにより洗浄水タンクから便器本体へ供給される洗浄水が不足することを防ぐことができる洗浄水タンク装置を提供する。【解決手段】洗浄水タンク装置は、洗浄水タンクと、ポンプ装置と、洗浄水タンク内に設けられたフロートスイッチと、フロートスイッチから発信される規定水位の検知信号に基づいてポンプ装置の駆動を停止させる制御部とを備え、制御部は、ポンプ装置の駆動開始から所定期間が経過するまで、フロートスイッチから発信される規定水位の検知信号を受信したとしても、ポンプ装置の駆動を停止させることなく継続させる制御を行うキャンセルモードを備える。【選択図】図７
2020105732.tif 000002
【特許請求の範囲】
【請求項１】
便器本体を洗浄する洗浄水を貯水する洗浄水タンク装置であって、
洗浄水を貯水する洗浄水タンクと、
上記洗浄水タンク内に設けられた取水口部から取り入れた洗浄水を上記便器本体に送るポンプ装置と、
上記洗浄水タンク内に設けられたフロートスイッチであって、上記洗浄水タンク内の水位が規定水位に到達したときに上記規定水位に到達したことを示す検知信号を発信する、上記フロートスイッチと、
上記フロートスイッチから発信される上記規定水位の上記検知信号に基づいて上記ポンプ装置の駆動を停止させる制御部とを備え、
上記制御部は、上記ポンプ装置の駆動開始から所定期間が経過するまで、上記フロートスイッチから発信される上記規定水位の上記検知信号を受信したとしても、上記ポンプ装置の駆動を停止させることなく継続させる制御を行うキャンセルモードを備えることを特徴とする洗浄水タンク装置。
【請求項２】
上記制御部の上記キャンセルモードにおける所定期間は、上記ポンプ装置の駆動開始から水位が上記規定水位に到達すると想定される時間内の値に設定される、請求項１に記載の洗浄水タンク装置。
【請求項３】
上記洗浄水タンクは、貯水空間の一部が下方に突出する下方突出空間を形成し、上記下方突出空間内に上記ポンプ装置の上記取水口部が配置される、請求項１又は２に記載の洗浄水タンク装置。
【請求項４】
上記フロートスイッチは、平面視で上記下方突出空間と重なる位置に配置されている、請求項３に記載の洗浄水タンク装置。
【請求項５】
上記制御部は、上記キャンセルモードの実行後に上記フロートスイッチが水位が上記規定水位に到達したことを示す上記検知信号を発信する場合に、上記フロートスイッチによるこの規定水位の検知から一定時間経過後に上記ポンプ装置の駆動を停止させるタイマー制御モードを備える、請求項１乃至４の何れか１項に記載の洗浄水タンク装置。
【請求項６】
請求項１乃至５の何れか１項に記載の洗浄水タンク装置を備えた水洗大便器。
【発明の詳細な説明】
【技術分野】
【０００１】
本発明は、洗浄水タンク装置に係り、特に、便器本体を洗浄する洗浄水を貯水する洗浄水タンク装置に関する。
【背景技術】
【０００２】
従来、特許文献１に示すように、タンク内の水位を検知するフロートスイッチを備えたタンク装置が知られている。このようなタンク装置においては、フロートスイッチはタンク内の水位が水位上昇時に予め決められた水位に達したときに検知信号を発する。この検知信号を受信した制御装置は、給水を停止させる。
【先行技術文献】
【特許文献】
【０００３】
【特許文献１】特開２０１６−８９１号公報
【発明の概要】
【発明が解決しようとする課題】
【０００４】
しかしながら、本発明の発明者は、上述のような従来のフロートスイッチを、洗浄水タンク内の洗浄水をポンプによって引き込んで便器本体へ送るタンク装置に適用しようとする場合、ポンプの駆動時、特にポンプの駆動開始直後において、ポンプが洗浄水タンク内の洗浄水を比較的強い力で引き込み、その水流の流れによってフロートスイッチが取水口部側に引き込まれるように動き、フロートスイッチが一瞬取水口部側に下がってしまうという問題が生じることを見出した。これにより、フロートスイッチが洗浄水タンク内の水位が規定水位に到達したことを示す検知信号を発信してしまい、この検知信号を受け取った制御部が、水位が規定水位に到達したと誤って判断して、ポンプの駆動を停止させることとなる。よって、ポンプの駆動が停止されることにより洗浄水タンクから便器本体へ供給される洗浄水の流量が不足するという問題が生じるおそれがある。
【０００５】
そこで、本発明は、上述した従来技術の問題点と課題を解決するためになされたものであり、ポンプ装置の駆動時にフロートスイッチが規定水位の誤検知をした場合であっても、制御部がポンプ装置の駆動を停止させることなく継続させ、ポンプ装置の駆動が停止されることにより洗浄水タンクから便器本体へ供給される洗浄水が不足することを防ぐことができる水洗大便器を提供することを目的としている。
【課題を解決するための手段】
【０００６】
上記の目的を達成するために、本発明は、便器本体を洗浄する洗浄水を貯水する洗浄水タンク装置であって、洗浄水を貯水する洗浄水タンクと、上記洗浄水タンク内に設けられた取水口部から取り入れた洗浄水を上記便器本体に送るポンプ装置と、上記洗浄水タンク内に設けられたフロートスイッチであって、上記洗浄水タンク内の水位が規定水位に到達したときに上記規定水位に到達したことを示す検知信号を発信する、上記フロートスイッチと、上記フロートスイッチから発信される上記規定水位の上記検知信号に基づいて上記ポンプ装置の駆動を停止させる制御部とを備え、上記制御部は、上記ポンプ装置の駆動開始から所定期間が経過するまで、上記フロートスイッチから発信される上記規定水位の上記検知信号を受信したとしても、上記ポンプ装置の駆動を停止させることなく継続させる制御を行うキャンセルモードを備えることを特徴としている。
このように構成された本発明においては、仮にポンプ装置の駆動開始直後に、フロートスイッチが取水口部に向けて流れる水流により取水口部に向けて引かれ、フロートスイッチが規定水位の検知信号を発信してしまう場合においても、制御部は、キャンセルモードにより、ポンプ装置の駆動開始から所定期間が経過するまで、このような検知信号を受信したとしても、ポンプ装置の駆動を停止させない制御を行うことができる。これにより、ポンプ装置の駆動時にフロートスイッチが規定水位の誤検知をした場合であっても、制御部がポンプ装置の駆動を停止させることなく継続させ、ポンプ装置の駆動が停止されることにより洗浄水タンクから便器本体へ供給される洗浄水が不足することを防ぐことができる。
【０００７】
本発明において、好ましくは、上記制御部の上記キャンセルモードにおける所定期間は、上記ポンプ装置の駆動開始から水位が上記規定水位に到達すると想定される時間内の値に設定される。
このように構成された本発明においては、ポンプ装置の駆動開始から水位が規定水位に到達すると想定される時間内の所定期間の間、フロートスイッチが規定水位の誤検知をした場合であっても、制御部がポンプ装置の駆動を停止させることなく継続させ、ポンプ装置の駆動が停止されることにより洗浄水タンクから便器本体へ供給される洗浄水が不足することを防ぐことができる。
【０００８】
本発明において、好ましくは、上記洗浄水タンクは、貯水空間の一部が下方に突出する下方突出空間を形成し、上記下方突出空間内に上記ポンプ装置の上記取水口部が配置される。
このように構成された本発明においては、洗浄水タンクが、貯水空間の一部が下方に突出する下方突出空間を形成し、下方突出空間内に上記ポンプ装置の取水口部が配置されている。このような構成を持つ洗浄水タンクにおいては、洗浄水タンク内の洗浄水が下方突出空間内の取水口部に向けて流れる水流が比較的強くなり、洗浄水が取水口部に引き込まれる力が、洗浄水タンクが下方突出空間を形成していない場合と比べて強くなりやすい。このような構成を持つ洗浄水タンクにおいても、フロートスイッチが誤検知をした場合であっても、制御部がポンプ装置の駆動を停止させることなく継続させ、ポンプ装置の駆動が停止されることにより洗浄水タンクから便器本体へ供給される洗浄水が不足することを防ぐことができる。
【０００９】
本発明において、好ましくは、上記フロートスイッチは、平面視で上記下方突出空間と重なる位置に配置されている。
このように構成された本発明においては、フロートスイッチが、下方突出空間の上方に配置されているため、洗浄水タンク内の洗浄水が下方突出空間内の取水口部に向けて流れる水流が、フロートスイッチの周囲から下方に向けて流れ、フロートスイッチを下方に引き込む力を生じさせやすくなる。このようにフロートスイッチが誤検知をしやすくなる構成であっても、フロートスイッチが誤検知をした場合に、制御部がポンプ装置の駆動を停止させることなく継続させ、ポンプ装置の駆動が停止されることにより洗浄水タンクから便器本体へ供給される洗浄水が不足することを防ぐことができる。
【００１０】
本発明において、好ましくは、上記制御部は、上記キャンセルモード実行後に上記フロートスイッチが水位が上記規定水位に到達したことを示す検知信号を発信する場合に、上記フロートスイッチによるこの規定水位の検知から一定時間経過後に上記ポンプ装置の駆動を停止させるタイマー制御モードを備える。
このように構成された本発明においては、制御部がタイマー制御モードを備えることにより、フロートスイッチを実際の死水水位よりも上方の規定水位に配置することができる。これにより、フロートスイッチを取水口部から死水水位までの距離よりも離れた距離の規定水位の位置に配置でき、フロートスイッチの誤検知をより抑制することができる。
【００１１】
また、本発明は、好ましくは上記洗浄水タンク装置を備えた水洗大便器である。
このように構成された本発明においては、洗浄水タンク装置から便器本体へ供給される洗浄水が不足することを防ぐことができ、洗浄水タンク装置から安定した便器本体への洗浄水の供給が行われるので、便器本体での洗浄性能が安定する。
【発明の効果】
【００１２】
本発明の洗浄水タンク装置によれば、ポンプ装置の駆動時にフロートスイッチが規定水位の誤検知をした場合であっても、制御部がポンプ装置の駆動を停止させることなく継続させ、ポンプ装置の駆動が停止されることにより洗浄水タンクから便器本体へ供給される洗浄水が不足することを防ぐことができる。
【図面の簡単な説明】
【００１３】
【図１】本発明の一実施形態による洗浄水タンク装置を備えた水洗大便器を示す全体構成図である。
【図２】図１の洗浄水タンク装置の上面図である。
【図３】図１の洗浄水タンク装置の側面図である。
【図４】図２のIV-IV線に沿って見た断面図である。
【図５】図３のV-V線に沿って見た断面図である。
【図６】本発明の一実施形態による水洗大便器の洗浄水タンク装置においてポンプ装置の駆動開始から駆動停止までの洗浄水タンク装置の制御動作を示すフローチャートである。
【図７】本発明の一実施形態による水洗大便器の大洗浄モードにおける各部の動作の時間変化を示すタイムチャートである。
【図８】比較例として、洗浄水タンク装置の制御部がキャンセルモードを備えていない場合における水洗大便器の大洗浄モードにおいて第２フロートスイッチに誤検知があった場合の各部の動作の時間変化を示すタイムチャートである。
【図９】本発明の一実施形態による水洗大便器の小洗浄モードにおける各部の動作の時間変化を示すタイムチャートである。
【図１０】比較例として、洗浄水タンク装置の制御部がキャンセルモードを備えていない場合における水洗大便器の小洗浄モードにおいて第１フロートスイッチに誤検知があった場合の各部の動作の時間変化を示すタイムチャートである。
【発明を実施するための形態】
【００１４】
次に、添付図面を参照して、本発明の一実施形態による洗浄水タンク装置を備えた水洗大便器装置を説明する。
先ず、図１により、本発明の一実施形態による洗浄水タンク装置を備えた水洗大便器の構造を説明する。ここで、図１は、本発明の一実施形態による洗浄水タンク装置を備えた水洗大便器を示す全体構成図である。
【００１５】
図１に示すように、本発明の一実施形態による洗浄水タンク装置を備えた水洗大便器１は、洗浄水により洗浄され汚物を排出する水洗大便器装置である。水洗大便器１は、便器本体２と、便器本体２の後方に配置された給水装置４と、便器本体２の後方に配置された洗浄水タンク装置６とを備えている。
【００１６】
便器本体２は陶器製である。便器本体２には、汚物を受けるボウル部１２と、このボウル部１２の底部から延びる排水トラップ管路１４と、ジェット吐水を行うジェット吐水口１６と、リム吐水を行うリム吐水口１８とが形成されている。ジェット吐水口１６は、ボウル部１２の底部に形成されており、排水トラップ管路１４の入口に指向してほぼ水平に配置され、洗浄水を排水トラップ管路１４に向けて吐出するようになっている。リム吐水口１８は、ボウル部１２の左側上部後方に形成されており、ボウル部１２の上縁に沿って洗浄水を吐出するようになっている。
【００１７】
排水トラップ管路１４は、入口部１４ａと、この入口部１４ａから上昇するトラップ上昇管１４ｂと、このトラップ上昇管１４ｂから下降するトラップ下降管１４ｃとからなり、トラップ上昇管１４ｂとトラップ下降管１４ｃとの間が頂部１４ｄとなっている。ここで、排水トラップ管路１４のトラップ下降管１４ｃの下端には、排水管８が接続されている。
【００１８】
本実施形態による水洗大便器１は、洗浄水を供給する水道に直結されており、水道の給水圧力によりリム吐水口１８から洗浄水が吐出される。また、ジェット吐水に関しては、後述するように、洗浄水タンク装置６の洗浄水タンク２０に貯水された洗浄水をポンプ装置２２によって送出して、大流量でジェット吐水口１６から吐出させるようになっている。
【００１９】
次に、本実施形態による水洗大便器１の給水装置４を説明する。
図１に示すように、給水装置４には、水道から洗浄水が供給される給水路２４が設けられ、この給水路２４には、上流側から、止水栓２６、ストレーナ２８、分岐金具３０、定流量弁３２、ダイヤフラム式の電磁開閉弁３４、給水路切替弁３６がそれぞれ設けられている。
【００２０】
給水路切替弁３６の下流側には、リム吐水口１８に洗浄水を供給するためのリム側給水路３８、及び、洗浄水タンク２０に洗浄水を供給するためのタンク側給水路４０が接続されている。
【００２１】
電磁開閉弁３４を通過した洗浄水は、給水路切替弁３６により、リム側であるリム側給水路３８からリム吐水口１８へ、及び／又は、タンク側であるタンク側給水路４０から洗浄水タンク２０に供給される。このように、水洗大便器１は、リム吐水に関しては水道の水圧（直圧）を利用して給水して便器を洗浄し、さらに、ジェット吐水に関しては、洗浄水タンク２０に貯水された洗浄水をポンプ装置２２によって加圧してジェット吐水口１６から吐出させるようになっているハイブリッド式（水道直圧式＋タンク給水式）の給水装置を有するハイブリッド式水洗大便器である。また、リム側給水路３８には、リム吐水用バキュームブレーカ４８が設けられている。タンク側給水路４０にも、逆止弁であるバキュームブレーカ４２が設けられている。タンク側給水路４０と洗浄水タンク２０の接続部には、ボール式逆止弁４３が設けられている。戻り管路５０と洗浄水タンク２０の接続部にも、ボール式逆止弁４４が設けられている。
【００２２】
次に、図１乃至図５を参照して、洗浄水タンク装置６を詳細に説明する。
図２は、図１の洗浄水タンク装置の上面図であり、図３は、図１の洗浄水タンク装置の側面図であり、図４は図２のIV-IV線に沿って見た断面図であり、図５は図３のV-V線に沿って見た断面図である。
洗浄水タンク装置６は、洗浄水を貯水する洗浄水タンク２０と、洗浄水タンク２０内に設けられた通水管４５の取水口部４５ａから取り入れた洗浄水を便器本体２に送るポンプ装置２２と、洗浄水タンク２０内に設けられたフロートスイッチ５２と、フロートスイッチ５２から発信される水位が規定水位（ＷＬ１又はＷＬ２）に到達したことを示す検知信号に基づいてポンプ装置２２の駆動を停止させる制御部５４とを備えている。
【００２３】
洗浄水タンク２０は、少なくともその下部が便器本体２の後方上部に収納されるように取付けられている。洗浄水タンク２０は、自身の内部の貯水空間の一部が下方に突出する下方突出空間５６を形成している。下方突出空間５６は洗浄水タンク２０の底面の一部が一段下がった高さに形成されることにより形成されている。洗浄水タンク２０のタンク容量は、２．７Ｌ〜３．１Ｌの範囲内に設定されている。
【００２４】
ポンプ装置２２は、洗浄水を送出するポンプである。ポンプ装置２２は、洗浄水タンク２０の側部から中に入り、その下部まで延びる通水管４５と接続される。また、ポンプ装置２２は、ジェット吐水口１６まで延びるジェット側給水路４６と接続される。ポンプ装置２２が、洗浄水タンク２０に貯水された洗浄水を吸引すると共に加圧してジェット吐水口１６まで供給するようになっている。通水管４５は、洗浄水タンク２０内を通る場合のみならず、洗浄水タンク２０の外部から洗浄水タンク２０の下部に設けられる取水口部４５ａに接続されてもよい。
【００２５】
洗浄水タンク２０とジェット側給水路４６との間には、オーバーフロー流路７０が設けられている。オーバーフロー流路７０の上端７０ａは洗浄水タンク２０内に開口し、その下端７０ｂは、ジェット側給水路４６に接続されている。このオーバーフロー流路７０には逆止弁であるフラッパー弁７２が取り付けられている。
【００２６】
フロートスイッチ５２は、洗浄水タンク２０内の水位が規定水位に到達したときに規定水位に到達したことを示す検知信号を発信する。ポンプ装置２２による洗浄水タンクからの排出流量は流路開口の大きさ等のわずかな差によって変化しやすく洗浄水タンク２０内の水位を正確に予測することが比較的難しいのに対し、フロートスイッチ５２は、洗浄水タンク２０内の水位を比較的簡単且つ正確に測定できる。フロートスイッチ５２は、平面視で下方突出空間５６と重なる位置に配置されている（図５参照）。フロートスイッチ５２は、平面視で取水口部４５ａと重なる位置に配置されているフロートスイッチ５２は、下方突出空間５６の真上の他、任意の位置に配置されていてもよい。フロートスイッチ５２は、第１フロートスイッチ６０、及び、第２フロートスイッチ６２を備えている。
【００２７】
図４に示すように、第１フロートスイッチ６０は、棒状の軸部を形成するステム（軸部）６４と、洗浄水タンク２０内の水位の変動に応じて、水位に応じた浮力を受けながらステム６４に沿って上下動するフロート部６０ａと、を備えている。ステム６４は、洗浄水タンク２０の上部に取付けられた取付部から垂下するように鉛直方向下方に延びている。ステム６４は、ステム６４内部にリードスイッチ（図示せず）を備えている。第１フロートスイッチ６０のリードスイッチは、制御部５４と電気的に接続されている。水位に応じてフロート部６０ａが上下し、フロート部６０ａの位置に応じてリードスイッチすなわち第１フロートスイッチ６０のＯＮ状態（オン状態）とＯＦＦ状態（オフ状態）とが変化する。第１フロートスイッチ６０は、洗浄水タンク２０内の水位が待機水位ＷＬ０であるときはＯＮ状態であり、水位が第１規定水位ＷＬ１に到達するとＯＦＦ状態となったことを検知する。よって、フロートスイッチ５２の第１フロートスイッチ６０は、洗浄水タンク２０内の水位が第１規定水位ＷＬ１に到達したときに第１規定水位ＷＬ１に到達したことを示す検知信号を発信する。
【００２８】
第２フロートスイッチ６２は、棒状の軸部を形成するステム（軸部）６４と、洗浄水タンク２０内の水位の変動に応じて、水位に応じた浮力を受けながらステム６４に沿って上下動するフロート部６２ａと、を備えている。水位に応じてフロート部６２ａが上下し、フロート部６２ａの位置に応じて第２フロートスイッチ６２のリードスイッチ（図示せず）すなわち第２フロートスイッチ６２のＯＮ状態（オン状態）とＯＦＦ状態（オフ状態）とが変化する。第２フロートスイッチ６２のリードスイッチも制御部５４と電気的に接続されている。第２フロートスイッチ６２は、洗浄水タンク２０内の水位が待機水位ＷＬ０であるときはＯＦＦ状態であり、水位が第１規定水位ＷＬ１に到達するとき依然としてＯＦＦ状態であり、水位が第２規定水位ＷＬ２に到達するときＯＮ状態となったことを検知する。フロートスイッチ５２の第２フロートスイッチ６２は、洗浄水タンク２０内の水位が第２規定水位ＷＬ２に到達したときに第２規定水位ＷＬ２に到達したことを示す検知信号を発信する。
【００２９】
制御部５４は、電磁開閉弁３４、給水路切替弁３６、ポンプ装置２２及びフロートスイッチ５２等と電気的に接続され、電気信号を相互に送受信することができ、各機能部を電気的に操作できるようになっている。例えば、制御部５４は、電磁開閉弁３４の開閉操作、給水路切替弁３６の切替操作、及び、ポンプ装置２２の回転数や作動時間等を制御する機能を有する。制御部５４は、リモコンスイッチ等の操作部（図示せず）からの操作信号を受けて又は記憶されたプログラム等に従って各機器の制御を行う。制御部５４は、各機器を制御できるようなメモリ等の記憶装置（図示せず）及び演算装置（図示せず）を備えている。制御部５４は、各機器の制御により例えば大洗浄モード及び小洗浄モードを実行する機能を有する。
【００３０】
制御部５４は、ポンプ装置２２の駆動開始から所定期間であるキャンセリング期間Ｃ１、Ｃ２（図７及び図９参照）が経過するまで、水位が規定水位に到達したことを示す検知信号をフロートスイッチ５２から受信したとしても、ポンプ装置２２の駆動を停止させることなく継続させる制御を行うキャンセルモードを備える。制御部５４のキャンセルモードにおけるキャンセリング期間Ｃ１、Ｃ２は、ポンプ装置２２の駆動開始から水位が下降して規定水位に到達すると想定される時間内の値に設定される。より好ましくは、キャンセリング期間Ｃ１、Ｃ２は、想定される時間の１／２や１／３の時間内の値に設定される。このように設定することで誤検知を効率よく防ぎながら、実際に水位が規定水位に到達することをより正確に検知することができる。制御部５４は、キャンセルモード実行後に、フロートスイッチ５２による規定水位の検知から一定時間経過後にポンプ装置２２の駆動を停止させるタイマー制御モードを備える。
【００３１】
まず、本発明の一実施形態による水洗大便器１において大洗浄動作及び小洗浄動作を行うときの洗浄水タンク装置においてポンプ装置の駆動開始から駆動停止までの洗浄水タンク装置の制御動作（作用）について説明する。
図６は本発明の一実施形態による水洗大便器の洗浄水タンク装置においてポンプ装置の駆動開始から駆動停止までの洗浄水タンク装置の制御動作を示すフローチャートである。図６において、Ｓは各ステップを示している。
【００３２】
先ず、図６に示すように、Ｓ０において、一連の洗浄動作中において、制御部５４の判断により、制御部５４がポンプ装置２２の駆動を開始させる。ポンプ装置２２が、洗浄水タンク２０に貯水された洗浄水を吸引し、洗浄水を便器本体２に供給する。よって、洗浄水タンク２０内の水位が待機水位ＷＬ０から下降を開始する。制御部５４は、ポンプ装置２２の駆動開始と共にキャンセルモードを実行する。
【００３３】
次に、Ｓ１において、第１フロートスイッチ６０及び／又は第２フロートスイッチ６２が第１規定水位ＷＬ１及び／又は第２規定水位ＷＬ２に到達したことを示す検知信号を発信し、制御部５４がこの検知信号を受信したか否かを判定する。
Ｓ１において、制御部５４がこの検知信号を受信した場合には、Ｓ２に進む。
Ｓ１において、制御部５４がこの検知信号を受信していない場合には、Ｓ３に進む。
【００３４】
Ｓ２において、制御部５４は、キャンセルモードが実行されているので、ポンプ装置２２の駆動開始からキャンセリング期間が経過しているか否かを判定する。
Ｓ２において、制御部５４は、キャンセリング期間が経過していない場合には、規定水位の検知信号を受信したとしても、ポンプ装置２２の駆動開始後に第１フロートスイッチ６０及び／又は第２フロートスイッチ６２が誤検知をした場合であると判断し、ポンプ装置２２の駆動を停止させることなく継続させ、Ｓ１に戻る。
Ｓ２において、キャンセリング期間が経過している場合には、第１フロートスイッチ６０及び／又は第２フロートスイッチ６２が第１規定水位ＷＬ１及び／又は第２規定水位ＷＬ２に到達したことを正常に示す検知信号を発信している場合であると判断できるので、Ｓ４に進む。制御部５４は、ポンプ装置２２の駆動開始からキャンセリング期間が経過したときにキャンセルモードの実行を終了させる。
【００３５】
Ｓ３において、制御部５４は、ポンプ装置２２の駆動開始から所定の安全時間が経過しているか否かを判定する。
Ｓ３において、所定の安全時間が経過していない場合には、フロートスイッチ５２の動作のために必要な想定時間内の状態であると想定されるので、制御部５４がフロートスイッチ５２の検知信号を受信できるように、Ｓ１に戻る。
Ｓ３において、所定の安全時間が経過した場合には、ポンプ装置２２が通常想定されるよりも長い時間継続して動作しており、フロートスイッチ５２の動作不良等の故障の可能性があると想定されるので、ポンプ装置２２の課運転を防止させるため、Ｓ５に進む。
【００３６】
Ｓ４において、制御部５４は、キャンセルモード実行後に所定のフロートスイッチ５２が規定水位の検知信号を発信する場合に、タイマー制御モードを実行させ、所定のフロートスイッチ５２による規定水位の検知から一定時間経過後にポンプ装置２２の駆動を停止させる。制御部５４は、タイマー制御モードを実行後、Ｓ５に進む。
Ｓ５においては、制御部５４は、ポンプ装置２２の駆動を停止させる。ポンプ装置２２の駆動が停止すると、洗浄水タンク２０から便器本体２のジェット吐水口１６への洗浄水の供給が停止される。以後、制御部５４は、給水装置４により洗浄水タンク２０に給水を行って洗浄水タンク２０内の水位を上昇させる。洗浄水が洗浄水タンク２０内の待機水位ＷＬ０まで到達すると、制御部５４は、給水装置４を停止させ、待機状態に戻る。
【００３７】
次に、本発明の一実施形態による水洗大便器１の大洗浄モード（大洗浄動作）の動作（作用）について説明する。
図７は、本発明の一実施形態による水洗大便器の大洗浄モードにおける各部の動作の時間変化を示すタイムチャートである。図８は、比較例として、洗浄水タンク装置の制御部がキャンセルモードを備えていない場合における水洗大便器の大洗浄モードにおいて第２フロートスイッチに誤検知があった場合の各部の動作の時間変化を示すタイムチャートである。
【００３８】
図７に示すように、まず、待機状態（時刻ｔ０〜ｔ１）において、給水路切替弁３６は待機位置、電磁開閉弁３４は閉状態である。第１フロートスイッチ６０はＯＮ状態（オン状態）であり、洗浄水タンク２０内の水位は待機水位ＷＬ０となっている。第２フロートスイッチ６２はＯＦＦ状態（オフ状態）、ポンプ装置２２は、ＯＦＦ状態（オフ状態）である。
【００３９】
つぎに、時刻ｔ１において、操作部（図示せず）が操作され、制御部５４が洗浄開始の信号を受けると、前リム洗浄が開始される。制御部５４は、時刻ｔ１から時刻ｔ２にかけて、給水路切替弁３６をタンク側給水路４０側に全開状態（タンク側１００％且つリム側０％）とするように切り替える。制御部５４は、時刻ｔ３において、電磁開閉弁３４を開状態とさせ、洗浄水を給水路２４に流入させる。
【００４０】
つぎに、時刻ｔ３〜ｔ４の間に、給水路切替弁３６の開度がタンク側全開状態（洗浄水タンク側１００％）からリム側全開状態（リム側１００％）に徐々に切り替えられ、洗浄水をリム吐水口１８へ少量ずつ供給し、リム吐水口１８からの洗浄水の吐水が開始する。時刻ｔ４〜ｔ５の間に、リム吐水口１８から前方に吐水された洗浄水は、リム洗浄として、ボウル部１２内に沿って旋回しながら流下し、ボウル部１２内を洗浄する。
【００４１】
つぎに、時刻ｔ５において、制御部５４は、ジェット吐水を行うために、ポンプ装置２２の駆動を開始させ、ポンプ装置２２をＯＮ状態とする。これにより、ポンプ装置２２が洗浄水タンク２０内の洗浄水をジェット吐水口１６へ供給し、洗浄水をジェット吐水口１６から吐水する。このとき、洗浄水タンク２０内の水位は待機水位ＷＬ０近傍であり、第１フロートスイッチ６０はＯＮ状態であり、第２フロートスイッチ６２はＯＦＦ状態である。ポンプ装置２２が駆動を開始されると、矢印Ｆ０（図４参照）に示すように洗浄水タンク２０内の洗浄水が取水口部４５ａに向けて吸引され、取水口部４５ａから通水管４５を通って便器本体２に供給される。
このとき、ポンプ装置２２の駆動開始直後に、第１フロートスイッチ６０及び／又は第２フロートスイッチ６２が取水口部４５ａに向けて流れる水流により取水口部４５ａに向けて引かれ、第１フロートスイッチ６０及び／又は第２フロートスイッチ６２が誤作動され、水位が第１規定水位ＷＬ１及び／又はＷＬ２に到達したことを示す検知信号を発信してしまう場合がある。なお、本発明者はポンプ装置２２の駆動開始直後に、洗浄水タンク２０内の洗浄水の流れの向きの変化が大きくなるため、フロートスイッチの誤検知の問題が生じるという新たな課題を見出している。また、下方突出空間５６の真上の領域内の洗浄水は、特に比較的強く且つ真下に向かう水流を発生させやすいためフロートスイッチの誤検知の問題が生じるという新たな課題も本発明者は見出している。
【００４２】
例えば仮に、破線Ｅ１に示すように、ポンプ装置２２の駆動開始直後に、矢印Ｆ１（図４参照）に示すような取水口部４５ａに向けて流れる水流により、第１フロートスイッチ６０のフロート部６０ａが取水口部４５ａに向けて引かれるとフロート部６０ａがＯＦＦ状態側に引かれて、第１フロートスイッチ６０が第１規定水位ＷＬ１の検知信号を発信してしまう。制御部５４は、大洗浄モードにおいては、第１フロートスイッチ６０による第１規定水位ＷＬ１の検知信号によりポンプ装置２２の駆動を停止させずに第２フロートスイッチ６２による第２規定水位ＷＬ２の検知信号によりポンプ装置２２の駆動を停止させる制御を行うこととしているので、第１フロートスイッチ６０が誤検知したとしてもポンプ装置２２が誤作動で停止されない。なお、制御部５４は、後述するキャンセルモードの実行により第１フロートスイッチ６０の検知信号を受信しても、ポンプ装置２２の駆動を継続させてもよい。
【００４３】
一方で例えば仮に、破線Ｅ２に示すように、ポンプ装置２２の駆動開始直後に、矢印Ｆ２（図４参照）に示すような取水口部４５ａに向けて流れる水流により、第２フロートスイッチ６２のフロート部６２ａが取水口部４５ａに向けて引かれるとフロート部６２ａがＯＮ状態側（下方側）に引かれて、第２フロートスイッチ６２が第２規定水位ＷＬ２の検知信号を発信してしまう。制御部５４は、大洗浄モードにおいては、第２フロートスイッチ６２による第２規定水位ＷＬ２の検知信号によりポンプ装置２２の駆動を停止させる制御を行うこととしているが、制御部５４は、ポンプ装置２２の駆動開始と共にキャンセルモードを実行している。制御部５４がキャンセルモードを実行しているキャンセリング期間Ｃ１においては、制御部５４は、第２フロートスイッチ６２が誤検知をした場合においても、ポンプ装置２２の駆動を停止させることなく継続させる。キャンセリング期間Ｃ１は、例えば、時刻ｔ５〜ｔ６までの期間である。大洗浄モードにおけるキャンセリング期間Ｃ１は、例えば、０．３秒〜１．６秒の範囲内に設定されている。時刻ｔ６になると制御部５４は、キャンセルモードの実行を終了させる。
【００４４】
給水路切替弁３６はリム側全開状態（リム側１００％）となっており、給水路２４から供給される洗浄水はリム吐水口１８に供給されている。ポンプ装置２２は駆動されており、ポンプ装置２２が洗浄水タンク２０内の洗浄水をジェット吐水口１６へ供給している。
【００４５】
時刻ｔ７において、水位が第１規定水位ＷＬ１に到達し、第１フロートスイッチ６０がＯＮ状態からＯＦＦ状態に変化し、第１規定水位ＷＬ１の検知信号を発信する。このとき制御部５４は、大洗浄モードにおいては、ポンプ装置２２の駆動を継続させる。
【００４６】
つぎに、時刻ｔ８において、洗浄水タンク２０内の洗浄水の水位がさらに低下して第２規定水位ＷＬ２に到達し、第２フロートスイッチ６２がＯＦＦ状態からＯＮ状態となると、第２フロートスイッチ６２が水位が第２規定水位ＷＬ２に到達したことを示す検知信号を発信する。この場合に、制御部５４は、タイマー制御モードを実行して、第２フロートスイッチ６２による第２規定水位ＷＬ２の検知（時刻ｔ８）から所定時間であるディレイ期間Ｄ１経過後（時刻ｔ９）にポンプ装置２２の駆動を停止させる。よって、大洗浄モードにおける死水水位ＷＬ３は第２規定水位ＷＬ２よりもさらに下方の位置となる。ディレイ期間Ｄ１は、ポンプ装置２２の送出能力を示すポンプ送出（吸入）の瞬間流量、洗浄水タンク容量及び洗浄水タンク形状等に基づいて決定される。例えば、ディレイ期間Ｄ１は、０．１秒〜１．６秒の範囲内の時間である。このように、制御部５４がタイマー制御モードを備えることにより、第２フロートスイッチ６２を実際の死水水位ＷＬ３よりも上方の第２規定水位ＷＬ２に配置することができる。これにより、第２フロートスイッチ６２を取水口部４５ａから死水水位ＷＬ３までの距離よりも離れた距離の第２規定水位ＷＬ２の位置に配置でき、矢印Ｆ２に示すような取水口部４５ａに向かう水流が第２フロートスイッチ６２を取水口部４５ａ側に向けて引き込む作用をより弱くすることができる。よって、第２フロートスイッチ６２の誤検知をより抑制することができる。
【００４７】
時刻ｔ９において、ポンプ装置２２の駆動が停止されると、洗浄水タンク２０から便器本体２のジェット吐水口１６への洗浄水の供給が停止される。このとき、電磁開閉弁３４は開状態であり、給水路切替弁３６はリム側全開状態（リム側１００％）となっているので、給水路２４から供給される洗浄水がリム吐水口１８に供給され、リム吐水口１８から供給された洗浄水によるボウル部１２の洗浄が行われている。第１フロートスイッチ６０はＯＦＦ状態であり、第２フロートスイッチ６２はＯＮ状態となっている。
【００４８】
大洗浄モードにおいては、ポンプ装置２２は例えば３３Ｌ／ｍｉｎ〜６６Ｌ／ｍｉｎの範囲内の瞬間流量で洗浄水を送出させる。時刻ｔ５から時刻ｔ９までのポンプ装置２２の駆動により、例えば１．６Ｌ〜１．９Ｌの範囲内の洗浄水量が洗浄水タンク２０から便器本体２に供給される。
【００４９】
制御部５４は、時刻ｔ９から所定時間が経過した時刻ｔ１０まで、給水路切替弁３６の開度をリム側全開状態（リム側１００％）に維持し、リム吐水口１８から供給された洗浄水によるボウル部１２の洗浄を行わせる。
次いで、制御部５４は、時刻ｔ１０から時刻ｔ１１の間において、給水路切替弁３４の開度をリム側全開状態（リム側１００％）からタンク側全開状態（洗浄水タンク側１００％）に徐々に切り替える。よって、洗浄水が給水路２４からタンク側給水路４０を介して洗浄水タンク２０内に給水され、洗浄水タンク２０内の水位が上昇する。
【００５０】
時刻ｔ１２において、洗浄水タンク２０内の水位が第２規定水位ＷＬ２まで上昇するとき、第２フロートスイッチ６２がＯＮ状態からＯＦＦ状態に変化する。
【００５１】
時刻ｔ１３において、洗浄水タンク２０内の水位がさらに上昇し、第１規定水位ＷＬ１まで上昇するとき、第１フロートスイッチ６０がＯＦＦ状態からＯＮ状態に変化する。
【００５２】
時刻ｔ１４において、制御部５４は、第１フロートスイッチ６０がＯＮ状態となったことを検知してから所定時間経過後に、電磁開閉弁３４を開状態から閉状態に切り替える。よって、洗浄水タンク２０内への給水が停止される。洗浄水タンク２０内の水位は第１規定水位ＷＬ１より上方の待機水位ＷＬ０となっている。
時刻ｔ１４から所定時間経過後の時刻ｔ１５から時刻ｔ１６の間において、制御部５４は、給水路切替弁３６の開度をタンク側全開状態（洗浄水タンク側１００％）から待機位置に徐々に切り替える。制御部５４は、待機状態に戻る。
【００５３】
次に、図８を参照して、比較例として、洗浄水タンク装置の制御部がキャンセルモードを備えていない場合における水洗大便器の大洗浄モードにおいて第２フロートスイッチに誤検知があった場合の動作（作用）について説明する。大洗浄モードの一連の洗浄動作のうち主に第２フロートスイッチ６２が誤作動される場合の動作について説明する。
時刻ｔ２０〜時刻ｔ２５における動作は、一実施形態による水洗大便器の大洗浄モードの時刻ｔ０〜時刻ｔ５における動作と同様であるので説明を省略する。また、一実施形態による水洗大便器の大洗浄モードにおける動作と重複するその他の部分についても説明を省略する。
【００５４】
時刻ｔ２５において、比較例の制御部は、ジェット吐水を行うために、ポンプ装置２２の駆動を開始させ、ポンプ装置２２をＯＮ状態とする。比較例の制御部は、一実施形態による制御部５４と異なり、キャンセルモードを備えていない。
時刻ｔ２６に示すように、ポンプ装置２２の駆動開始直後に、矢印Ｆ２に示すような取水口部４５ａに向けて流れる水流により、第２フロートスイッチ６２のフロート部６２ａが取水口部４５ａに向けて引かれるとフロート部６２ａがＯＮ状態側（下方側）に引かれて、第２フロートスイッチ６２が水位が第２規定水位ＷＬ２に到達したことを示す検知信号を発信してしまう場合がある。このとき、比較例の制御部は、キャンセルモードを実行していないので、制御部は、第２フロートスイッチ６２による第２規定水位ＷＬ２の検知信号によりポンプ装置２２の駆動を停止させる制御を行う。具体的には、制御部は、一実施形態による制御部５４のタイマー制御モードを実行して、第２フロートスイッチ６２による第２規定水位ＷＬ２の検知（時刻ｔ２６）から一定時間であるディレイ期間Ｄ１経過後（時刻ｔ２７）にポンプ装置２２の駆動を停止させる。なお、比較例の制御部がタイマー制御モードも備えていない場合には、第２フロートスイッチ６２による第２規定水位ＷＬ２の検知後、直ちにポンプ装置２２の駆動が停止される。
【００５５】
このような時刻ｔ２６及び時刻ｔ２７において、洗浄水の水位は十分に下降しておらず、第２規定水位ＷＬ２に到達していない。従って、洗浄水タンク２０から便器本体２のジェット吐水口１６への洗浄水の供給量（待機水位ＷＬ０からその時点の水位までの容量）は大洗浄モードにおいて当初予定されている供給量（待機水位ＷＬ０から第２規定水位ＷＬ２までの容量）よりも少ない量となる。ジェット吐水口１６からの吐水量が不足することにより、洗浄水タンク２０から便器本体２へ供給される洗浄水が不足する。また、ジェット吐水口１６からの吐水量が不足することにより、サイホン作用の発生タイミングが遅くなったり、サイホン作用が発生しなかったりして、排水トラップ管路１４への汚物及び洗浄水の搬送能力が低下する等の不具合が生じ、結果、汚物の排出能力の低下をもたらす。
【００５６】
時刻ｔ２７においては、給水路切替弁３６はリム側全開状態（リム側１００％）となっているので、給水路２４から供給される洗浄水がリム吐水口１８に供給され、リム吐水口１８から供給された洗浄水によるボウル部１２の洗浄が行われている。よって、制御部は、時刻ｔ２７から所定時間が経過した時刻ｔ２８までは、リム吐水口１８から供給された洗浄水によるボウル部１２の洗浄を行う。以後、洗浄水タンク２０への給水を行って、制御部は待機状態に戻る。
【００５７】
次に、本発明の一実施形態による水洗大便器１の小洗浄モード（小洗浄動作）の動作（作用）について説明する。
図９は、本発明の一実施形態による水洗大便器の小洗浄モードにおける各部の動作の時間変化を示すタイムチャートである。図１０は、比較例として、洗浄水タンク装置の制御部がキャンセルモードを備えていない場合における水洗大便器の小洗浄モードにおいて第１フロートスイッチに誤検知があった場合の各部の動作の時間変化を示すタイムチャートである。
【００５８】
図９に示すように、まず、待機状態（時刻ｔ３０〜ｔ３１）において、給水路切替弁３６は待機位置、電磁開閉弁３４は閉状態である。第１フロートスイッチ６０はＯＮ状態（オン状態）であり、洗浄水タンク２０内の水位は待機水位ＷＬ０となっている。第２フロートスイッチ６２はＯＦＦ状態（オフ状態）、ポンプ装置２２は、ＯＦＦ状態（オフ状態）である。
【００５９】
つぎに、時刻ｔ３１において、操作部（図示せず）が操作され、制御部５４が洗浄開始の信号を受けると、前リム洗浄が開始される。制御部５４は、ｔ３１から時刻ｔ３２にかけて、給水路切替弁３６をタンク側給水路４０側に全開状態（タンク側１００％且つリム側０％）とするように切り替える。制御部５４は、時刻ｔ３３において、電磁開閉弁３４を開状態とさせ、洗浄水を給水路２４に流入させる。
【００６０】
つぎに、時刻ｔ３３〜ｔ３４の間に、給水路切替弁３６の開度がタンク側全開状態（洗浄水タンク側１００％）からリム側全開状態（リム側１００％）に徐々に切り替えられ、洗浄水をリム吐水口１８へ少量ずつ供給し、リム吐水口１８からの洗浄水の吐水が開始する。時刻ｔ３４〜ｔ３５の間に、リム吐水口１８から前方に吐水された洗浄水は、リム洗浄として、ボウル部１２内に沿って旋回しながら流下し、ボウル部１２内を洗浄する。
【００６１】
つぎに、時刻ｔ３５において、制御部５４は、ジェット吐水を行うために、ポンプ装置２２の駆動を開始させ、ポンプ装置２２をＯＮ状態とする。これにより、ポンプ装置２２が洗浄水タンク２０内の洗浄水をジェット吐水口１６へ供給し、洗浄水をジェット吐水口１６から吐水する。このとき、洗浄水タンク２０内の水位は待機水位ＷＬ０近傍であり、第１フロートスイッチ６０はＯＮ状態であり、第２フロートスイッチ６２はＯＦＦ状態である。ポンプ装置２２が駆動を開始されると、矢印Ｆ０（図４参照）に示すように洗浄水タンク２０内の洗浄水が取水口部４５ａに向けて吸引され、取水口部４５ａから通水管４５を通って便器本体２に供給される。
ポンプ装置２２の駆動開始直後に、第１フロートスイッチ６０及び／又は第２フロートスイッチ６２が取水口部４５ａに向けて流れる水流により取水口部４５ａに向けて引かれ、第１フロートスイッチ６０及び／又は第２フロートスイッチ６２が誤作動され、水位が第１規定水位ＷＬ１及び／又は第２規定水位ＷＬ２に到達したことを示す検知信号を発信してしまう場合がある。ポンプ装置２２の駆動開始直後に、取水口部４５ａに向けて流れる水流は、大洗浄モードと小洗浄モードとの別によらず同様の比較的強い流れを形成する。このように、本発明者は、小洗浄モードにおいても、ポンプ装置２２の駆動開始直後に、洗浄水タンク２０内の洗浄水の流れの状態変化が大きくなるため、フロートスイッチの誤検知の問題が生じやすいという新たな課題を見出し、本実施形態の構成によりこの課題を解決できることを見出している。
【００６２】
例えば仮に、破線Ｅ３に示すように、ポンプ装置２２の駆動開始直後に、矢印Ｆ１（図４参照）に示すような取水口部４５ａに向けて流れる水流により、第１フロートスイッチ６０のフロート部６０ａが取水口部４５ａに向けて引かれるとフロート部６０ａがＯＦＦ状態側に引かれて、第１フロートスイッチ６０が水位が第１規定水位ＷＬ１に到達したことを示す検知信号を発信してしまう。制御部５４は、小洗浄モードにおいては、第１フロートスイッチ６０による第１規定水位ＷＬ１の検知信号によりポンプ装置２２の駆動を停止させることとしているが、制御部５４は、ポンプ装置２２の駆動開始と共にキャンセルモードを実行している。制御部５４がキャンセルモードを実行しているキャンセリング期間Ｃ２においては、制御部５４は、第１フロートスイッチ６０が誤検知をした場合であっても、ポンプ装置２２の駆動停止を保留して、ポンプ装置２２の駆動を継続させる。キャンセリング期間Ｃ２は、例えば、時刻ｔ３５〜ｔ３６までの期間である。小洗浄モードにおけるキャンセリング期間Ｃ２は、例えば、０．２秒〜１．２秒の範囲内に設定されている。時刻ｔ３６になると制御部５４は、キャンセルモードの実行を終了させる。
【００６３】
一方で例えば仮に、破線Ｅ４に示すように、ポンプ装置２２の駆動開始直後に、矢印Ｆ２（図４参照）に示すような取水口部４５ａに向けて流れる水流により、第２フロートスイッチ６２のフロート部６２ａが取水口部４５ａに向けて引かれるとフロート部６２ａがＯＮ状態側（下方側）に引かれて、第２フロートスイッチ６２が第２規定水位ＷＬ２の検知信号を発信してしまう。制御部５４は、小洗浄モードにおいては、水位が第２規定水位ＷＬ２まで下がらないので、通常、第２フロートスイッチ６２による第２規定水位ＷＬ２の検知信号によりポンプ装置２２の駆動を停止させる制御を行っていない。しかしながら、第２フロートスイッチ６２が第２規定水位ＷＬ２の検知信号を誤作動により発信すればポンプ装置２２の駆動を停止させることとなる。ここで制御部５４は、ポンプ装置２２の駆動開始と共にキャンセルモードを実行している。制御部５４がキャンセルモードを実行しているキャンセリング期間Ｃ２においては、制御部５４は、第２フロートスイッチ６２が誤検知をした場合であっても、ポンプ装置２２の駆動停止を保留して、ポンプ装置２２の駆動を継続させる。時刻ｔ３６になると制御部５４は、キャンセルモードの実行を終了させる。
【００６４】
給水路切替弁３６はリム側全開状態（リム側１００％）となっており、給水路２４から供給される洗浄水はリム吐水口１８に供給されている。ポンプ装置２２は駆動されており、ポンプ装置２２が洗浄水タンク２０内の洗浄水をジェット吐水口１６へ供給している。
【００６５】
時刻ｔ３７において、水位が第１規定水位ＷＬ１に到達し、第１フロートスイッチ６０がＯＮ状態からＯＦＦ状態に変化し、第１規定水位ＷＬ１の検知信号を発信する。制御部５４は、小洗浄モードにおいては、ポンプ装置２２の即時の駆動停止を保留し、ポンプ装置２２の駆動を継続させる。この場合に、制御部５４は、タイマー制御モードを実行して、第１フロートスイッチ６０による第１規定水位ＷＬ１の検知（時刻ｔ３７）から所定時間であるディレイ期間Ｄ２経過後（時刻ｔ３８）にポンプ装置２２の駆動を停止させる。よって、小洗浄モードにおける死水水位ＷＬ４は第１規定水位ＷＬ１よりもさらに下方の位置となる。ディレイ期間Ｄ２は、ポンプ装置２２の排出能力を示すポンプ排出瞬間流量、洗浄水タンク容量及び洗浄水タンク形状等に基づいて決定される。例えば、ディレイ期間Ｄ２は、０．４秒〜２．１秒の範囲内の時間である。このように、制御部５４がタイマー制御モードを備えることにより、第１フロートスイッチ６０を実際の死水水位ＷＬ４よりも上方の第１規定水位ＷＬ１に配置することができる。これにより、第１フロートスイッチ６０を取水口部４５ａから死水水位ＷＬ４までの距離よりも離れた距離の第１規定水位ＷＬ１の位置に配置でき、矢印Ｆ１に示すような取水口部４５ａに向かう水流が第１フロートスイッチ６０を取水口部４５ａ側に向けて引き込む作用をより弱くすることができる。よって、第１フロートスイッチ６０の誤検知をより抑制することができる。
【００６６】
時刻ｔ３８において、ポンプ装置２２の駆動が停止されると、洗浄水タンク２０から便器本体２のジェット吐水口１６への洗浄水の供給が停止される。このとき、電磁開閉弁３４は開状態であり、給水路切替弁３６はリム側全開状態（リム側１００％）となっているので、給水路２４から供給される洗浄水がリム吐水口１８に供給され、リム吐水口１８から供給された洗浄水によるボウル部１２の洗浄が行われている。第１フロートスイッチ６０はＯＦＦ状態である。第２フロートスイッチ６２はＯＦＦ状態のままとなっている。
【００６７】
小洗浄モードにおいては、ポンプ装置２２は例えば１６Ｌ／ｍｉｎ〜６３Ｌ／ｍｉｎの範囲内の瞬間流量で洗浄水を送出させる。時刻ｔ３５から時刻ｔ３８までのポンプ装置２２の駆動により、例えば０．９Ｌ〜１．１Ｌの範囲内の洗浄水量が洗浄水タンク２０から便器本体２に供給される。
【００６８】
制御部５４は、時刻ｔ３８から所定時間が経過した時刻ｔ４０まで、給水路切替弁３６の開度をリム側全開状態（リム側１００％）に維持し、リム吐水口１８から供給された洗浄水によるボウル部１２の洗浄を行わせる。
次いで、制御部５４は、時刻ｔ４０から時刻ｔ４１の間において、給水路切替弁３６の開度をリム側全開状態（リム側１００％）からタンク側全開状態（洗浄水タンク側１００％）に徐々に切り替える。よって、洗浄水が給水路２４からタンク側給水路４０を介して洗浄水タンク２０内に給水され、洗浄水タンク２０内の水位が死水水位ＷＬ４より上昇する。
【００６９】
時刻ｔ４２において、洗浄水タンク２０内の水位がさらに上昇し、第１規定水位ＷＬ１まで上昇するとき、第１フロートスイッチ６０がＯＦＦ状態からＯＮ状態に変化する。
【００７０】
時刻ｔ４３において、制御部５４は、第１フロートスイッチ６０がＯＮ状態となったことを検知してから所定時間経過後に、電磁開閉弁３４を開状態から閉状態に切り替える。よって、洗浄水タンク２０内への給水が停止される。洗浄水タンク２０内の水位は第１規定水位ＷＬ１より上方の待機水位ＷＬ０（満水水位）となっている。
時刻ｔ４３から所定時間経過後の時刻ｔ４４から時刻ｔ４５の間において、制御部５４は、給水路切替弁３６の開度をタンク側全開状態（洗浄水タンク側１００％）から待機位置に徐々に切り替える。制御部５４は、待機状態に戻る。
【００７１】
次に、図１０を参照して、比較例として、洗浄水タンク装置の制御部がキャンセルモードを備えていない場合における洗浄水タンク装置の小洗浄モードにおいて第１フロートスイッチに誤検知があった場合の動作（作用）について説明する。小洗浄モードの一連の洗浄動作のうち主に第１フロートスイッチ６０が誤作動される場合の動作について説明する。
時刻ｔ５０〜時刻ｔ５５における動作は、一実施形態による水洗大便器の小洗浄モードの時刻ｔ３０〜時刻ｔ３５における動作と同様であるので説明を省略する。また、一実施形態による水洗大便器の小洗浄モードにおける動作と重複するその他の部分についても説明を省略する。
【００７２】
時刻ｔ５５において、比較例の制御部は、ジェット吐水を行うために、ポンプ装置２２の駆動を開始させ、ポンプ装置２２をＯＮ状態とする。比較例の制御部は、一実施形態による制御部５４と異なり、キャンセルモードを備えていない。
時刻ｔ５６に示すように、ポンプ装置２２の駆動開始直後に、矢印Ｆ１に示すような取水口部４５ａに向けて流れる水流により、第１フロートスイッチ６０のフロート部６０ａが取水口部４５ａに向けて引かれるとフロート部６０ａがＯＦＦ状態側（下方側）に引かれて、第１フロートスイッチ６０が第１規定水位ＷＬ１の検知信号を発信してしまう場合がある。このとき、比較例の制御部は、キャンセルモードを実行していないので、制御部は、第１フロートスイッチ６０による第１規定水位ＷＬ１の検知信号によりポンプ装置２２の駆動を停止させる制御を行う。具体的には、制御部は、制御部５４のタイマー制御モードを実行して、第１フロートスイッチ６０による第１規定水位ＷＬ１の検知（時刻ｔ５６）から一定時間であるディレイ期間Ｄ２経過後（時刻ｔ５７）にポンプ装置２２の駆動を停止させる。なお、比較例の制御部がタイマー制御モードも備えていない場合には、第１フロートスイッチ６０による第１規定水位ＷＬ１の検知後、直ちにポンプ装置２２の駆動が停止される。なお、第２フロートスイッチ６２が第２規定水位ＷＬ２を検知した場合にも同様にポンプ装置２２の駆動が停止される。
【００７３】
このような時刻ｔ５６及び時刻ｔ５７において、洗浄水の水位は十分に下降しておらず、第１規定水位ＷＬ１に到達していない。従って、洗浄水タンク２０から便器本体２のジェット吐水口１６への洗浄水の供給量（待機水位ＷＬ０からその時点の水位までの容量）は小洗浄モードにおいて当初予定されている供給量（待機水位ＷＬ０から第１規定水位ＷＬ１までの容量）よりも少ない量となる。ジェット吐水口１６からの吐水量が不足することにより、洗浄水タンク２０から便器本体２へ供給される洗浄水が不足する。また、ジェット吐水口１６からの吐水量が不足することにより、サイホン作用の発生タイミングが遅くなったり、サイホン作用が発生しなかったりして、排水トラップ管路１４への汚物及び洗浄水の搬送能力が低下する等の不具合が生じ、結果、汚物の排出能力の低下をもたらす。
【００７４】
時刻ｔ５７においては、給水路切替弁３６はリム側全開状態（リム側１００％）となっているので、給水路２４から供給される洗浄水がリム吐水口１８に供給され、リム吐水口１８から供給された洗浄水によるボウル部１２の洗浄が行われている。よって、制御部は、時刻ｔ５７から所定時間が経過した時刻ｔ５８までは、リム吐水口１８から供給された洗浄水によるボウル部１２の洗浄を行う。以後、洗浄水タンク２０への給水を行って、制御部は待機状態に戻る。
【００７５】
上述した本発明の一実施形態による洗浄水タンク装置６によれば、仮にポンプ装置２２の駆動開始直後に、フロートスイッチ５２が取水口部４５ａに向けて流れる水流により取水口部４５ａに向けて引かれ、フロートスイッチ５２が規定水位の検知信号を発信してしまう場合においても、制御部５４は、キャンセルモードにより、ポンプ装置２２の駆動開始から所定期間が経過するまで、このような検知信号を受信したとしても、ポンプ装置２２の駆動を停止させない制御を行うことができる。これにより、ポンプ装置２２の駆動時にフロートスイッチ５２が規定水位の誤検知をした場合であっても、制御部５４がポンプ装置２２の駆動を停止させることなく継続させ、ポンプ装置２２の駆動が停止されることにより洗浄水タンク２０から便器本体２へ供給される洗浄水が不足することを防ぐことができる。
【００７６】
さらに、本実施形態による洗浄水タンク装置６によれば、ポンプ装置２２の駆動開始から水位が規定水位に到達すると想定される時間内の所定期間の間、フロートスイッチ５２が規定水位の誤検知をした場合であっても、制御部５４がポンプ装置２２の駆動を停止させることなく継続させ、ポンプ装置２２の駆動が停止されることにより洗浄水タンク２０から便器本体２へ供給される洗浄水が不足することを防ぐことができる。
【００７７】
また、本実施形態による洗浄水タンク装置６によれば、洗浄水タンク２０が、貯水空間の一部が下方に突出する下方突出空間５６を形成し、下方突出空間５６内にポンプ装置２２の取水口部４５ａが配置されている。このような構成を持つ洗浄水タンク２０においては、洗浄水タンク２０内の洗浄水が下方突出空間５６内の取水口部４５ａに向けて流れる水流が比較的強くなり、洗浄水が取水口部４５ａに引き込まれる力が、洗浄水タンク２０が下方突出空間５６を形成していない場合と比べて強くなりやすい。このような構成を持つ洗浄水タンク２０においても、フロートスイッチ５２が誤検知をした場合であっても、制御部５４がポンプ装置２２の駆動を停止させることなく継続させ、ポンプ装置２２の駆動が停止されることにより洗浄水タンク２０から便器本体２へ供給される洗浄水が不足することを防ぐことができる。
【００７８】
また、本実施形態による洗浄水タンク装置６によれば、フロートスイッチ５２が、下方突出空間５６の上方に配置されているため、洗浄水タンク２０内の洗浄水が下方突出空間５６内の取水口部４５ａに向けて流れる水流が、フロートスイッチ５２の周囲から下方に向けて流れ、フロートスイッチ５２を下方に引き込む力を生じさせやすくなる。このようにフロートスイッチ５２が誤検知をしやすくなる構成であっても、フロートスイッチ５２が誤検知をした場合に、制御部５４がポンプ装置の駆動を停止させることなく継続させ、ポンプ装置２２の駆動が停止されることにより洗浄水タンク２０から便器本体２へ供給される洗浄水が不足することを防ぐことができる。
【００７９】
また、本実施形態による洗浄水タンク装置６によれば、制御部５４がタイマー制御モードを備えることにより、フロートスイッチ５２を実際の死水水位よりも上方の規定水位に配置することができる。これにより、フロートスイッチ５２を取水口部４５ａから死水水位までの距離よりも離れた距離の規定水位の位置に配置でき、フロートスイッチ５２の誤検知をより抑制することができる。
【００８０】
また、本実施形態による洗浄水タンク装置６を備えた水洗大便器によれば、洗浄水タンク２０から便器本体２へ供給される洗浄水が不足することを防ぐことができ、洗浄水タンク装置６から安定した便器本体２への洗浄水の供給が行われるので、便器本体２での洗浄性能が安定する。
【００８１】
以上に説明した一実施形態において、フロートスイッチ５２の配置及び形態は変更可能である。例えば、第１フロートスイッチ６０、及び、第２フロートスイッチ６２は、別のステムに取付けられていてもよい。例えば、第１フロートスイッチ６０、及び、第２フロートスイッチ６２は、別々の位置に設けられていればよい。また、例えば第１フロートスイッチ６０、及び、第２フロートスイッチ６２は、一方が下方突出空間５６と重なる位置に配置され、他方が洗浄水タンク２０内の下方突出空間５６と重ならない位置に配置されていてもよい。また、フロートスイッチ５２は、一つのフロートスイッチのみを備え、一つのフロートスイッチが第１フロートスイッチ６０及び/又は第２フロートスイッチ６２と同様の機能を奏するように設けられていてもよい。
【００８２】
また、上述の一実施形態において、水洗大便器１は、ハイブリッド式（水道直圧式＋タンク給水式）の給水装置を有する。例えば、水洗大便器１は、リム吐水及びジェット吐水の両方に関して、洗浄水タンクに貯水された洗浄水をポンプ装置によって加圧してリム吐水口１８及びジェット吐水口１６から吐出させるようになっているフルポンプ式（タンク給水式）の給水装置を有していてもよい。また、例えば、水洗大便器１は、リム吐水口１８のみを備え、リム吐水に関して、洗浄水タンクに貯水された洗浄水をポンプ装置によって加圧してリム吐水口１８から吐出させるようになっているポンプ式（タンク給水式）の給水装置を有していてもよい。
【符号の説明】
【００８３】
１      水洗大便器
２      便器本体
６      洗浄水タンク装置
２０    洗浄水タンク
２２    ポンプ装置
４５    通水管
４５ａ  取水口部
５２    フロートスイッチ
５４    制御部
５６    下方突出空間
６０    第１フロートスイッチ
６２    第２フロートスイッチ
Ｃ１    キャンセリング期間
Ｃ２    キャンセリング期間
Ｄ１    ディレイ期間
Ｄ２    ディレイ期間
ＷＬ０  待機水位
ＷＬ１  第１規定水位
ＷＬ２  第２規定水位
ＷＬ３  死水水位
ＷＬ４  死水水位
【図１】
2020105732.tif 000003
【図２】
2020105732.tif 000004
【図３】
2020105732.tif 000005
【図４】
2020105732.tif 000006
【図５】
2020105732.tif 000007
【図６】
2020105732.tif 000008
【図７】
2020105732.tif 000009
【図８】
2020105732.tif 000010
【図９】
2020105732.tif 000011
【図１０】
2020105732.tif 000012